【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
【数２７６】
2020533907.tif 000001
に基づき、アップリンク信号系列
【数２７７】
2020533907.tif 000002
を生成することと、
位相
【数２７８】
2020533907.tif 000003
の多種類のありうる位相に対しフルトラバーサルを行って長さ１２のアップリンク信号系列を組み合わせ、中から最小ピーク対平均電力比と最小相互相関特性を有する所定数のアップリンク信号系列を選択することとを含む、アップリンク信号系列生成方法。
【請求項２】
前記アップリンク信号基本系列の
【数２７９】
2020533907.tif 000004
の値は、−３、１、−３、１、−３、−３、３、３、−１、−１、１、１である、請求項１に記載の方法。
【請求項３】
前記アップリンク信号基本系列の
【数２８０】
2020533907.tif 000005
の値は、−１、−３、−３、３、−３、３、−１、−３、−１、１、３、−３である、請求項１に記載の方法。
【請求項４】
前記アップリンク信号基本系列の
【数２８１】
2020533907.tif 000006
の値は、３、−１、３、−１、３、３、−１、−１、３、３、３、３である、請求項１に記載の方法。
【請求項５】
前記アップリンク信号基本系列の
【数２８２】
2020533907.tif 000007
の値は、−３、３、−１、−３、−１、−３、−３、３、−３、−１、１、３である、請求項１に記載の方法。
【請求項６】
前記アップリンク信号基本系列の
【数２８３】
2020533907.tif 000008
の値は、１、１、−１、−１、３、３、−３、−３、１、−３、１、−３である、請求項１に記載の方法。
【請求項７】
前記アップリンク信号基本系列の
【数２８４】
2020533907.tif 000009
の値は、１、−３、１、−３、１、１、３、３、−１、−１、−３、−３である、請求項１に記載の方法。
【請求項８】
前記アップリンク信号基本系列の
【数２８５】
2020533907.tif 000010
の値は、−１、−３、−１、１、−１、１、３、１、−１、１、−１、−３である、請求項１に記載の方法。
【請求項９】
前記アップリンク信号基本系列の
【数２８６】
2020533907.tif 000011
の値は、３、−１、１、−３、−３、１、−１、３、３、３、３、３である、請求項１に記載の方法。
【請求項１０】
前記アップリンク信号基本系列の
【数２８７】
2020533907.tif 000012
の値は、−１、１、１、３、１、３、−１、１、−１、−３、３、１である、請求項１に記載の方法。
【請求項１１】
前記アップリンク信号基本系列の
【数２８８】
2020533907.tif 000013
の値は、１、３、−１、１、−１、１、１、３、１、−１、−３、３である、請求項１に記載の方法。
【請求項１２】
前記アップリンク信号基本系列の
【数２８９】
2020533907.tif 000014
の値は、−１、３、１、−３、−３、１、３、−１、−１、−１、−１、−１である、請求項１に記載の方法。
【請求項１３】
前記アップリンク信号基本系列の
【数２９０】
2020533907.tif 000015
の値は、３、３、１、１、１、１、３、−３、１、−３、３、−１であり、または、
前記アップリンク信号基本系列の
【数２９１】
2020533907.tif 000016
の値は、１、１、１、−３、−３、−３、１、−３、−３、１、−３、−３であり、または、
前記アップリンク信号基本系列の
【数２９２】
2020533907.tif 000017
の値は、−１、１、３、−３、−１、−３、１、−１、１、−１、−１、−３であり、または、
前記アップリンク信号基本系列の
【数２９３】
2020533907.tif 000018
の値は、３、３、１、１、１、３、−３、１、−３、１、−１、３であり、または、
前記アップリンク信号基本系列の
【数２９４】
2020533907.tif 000019
の値は、１、−３、−３、−３、１、１、１、−３、１、１、−３、１であり、または、
前記アップリンク信号基本系列の
【数２９５】
2020533907.tif 000020
の値は、−３、−１、３、−３、−１、１、１、１、−１、−３、１、−１であり、または、
前記アップリンク信号基本系列の
【数２９６】
2020533907.tif 000021
の値は、３、１、１、−１、−３、３、−１、３、−３、−１、−１、１であり、または、
前記アップリンク信号基本系列の
【数２９７】
2020533907.tif 000022
の値は、−３、３、−１、−３、３、１、１、１、３、−３、１、３であり、または、
前記アップリンク信号基本系列の
【数２９８】
2020533907.tif 000023
の値は、１、−３、３、−１、３、−１、１、３、３、３、１、１であり、または、
前記アップリンク信号基本系列の
【数２９９】
2020533907.tif 000024
の値は、−３、−３、−３、−３、−３、１、−１、３、３、−１、１、−３であり、または、
前記アップリンク信号基本系列の
【数３００】
2020533907.tif 000025
の値は、−３、−３、−３、−３、１、−３、１、１、−３、−３、１、１であり、または、
前記アップリンク信号基本系列の
【数３０１】
2020533907.tif 000026
の値は、−３、−３、−１、−１、３、３、１、１、−３、１、−３、１であり、または、
前記アップリンク信号基本系列の
【数３０２】
2020533907.tif 000027
の値は、−１、−１、−１、−１、−１、３、−３、１、１、−３、３、−１であり、または、
前記アップリンク信号基本系列の
【数３０３】
2020533907.tif 000028
の値は、１、−３、−１、３、−１、３、１、−１、−１、−１、１、１であり、または、
前記アップリンク信号基本系列の
【数３０４】
2020533907.tif 000029
の値は、１、３、−１、１、３、３、３、１、−１、−３、１、−１であり、または、
前記アップリンク信号基本系列の
【数３０５】
2020533907.tif 000030
の値は、−３、−１、１、３、−３、３、３、１、３、１、−３、３であり、または、
前記アップリンク信号基本系列の
【数３０６】
2020533907.tif 000031
の値は、１、−３、３、−１、３、−３、−１、−１、−１、−１、−３、−３であり、または、
前記アップリンク信号基本系列の
【数３０７】
2020533907.tif 000032
の値は、−３、３、１、３、１、−１、１、３、１、３、−３、３であり、または、
前記アップリンク信号基本系列の
【数３０８】
2020533907.tif 000033
の値は、−３、−３、−１、−１、−１、−３、３、−１、３、−１、１、−３であり、または、
前記アップリンク信号基本系列の
【数３０９】
2020533907.tif 000034
の値は、−３、−３、３、１、−３、−３、−３、−１、３、−１、１、３であり、または、
前記アップリンク信号基本系列の
【数３１０】
2020533907.tif 000035
の値は、１、１、−１、−３、−３、−１、１、３、−１、３、１、−３であり、または、
前記アップリンク信号基本系列の
【数３１１】
2020533907.tif 000036
の値は、−３、１、−１、−３、３、３、３、−３、−３、−１、３、−３であり、または、
前記アップリンク信号基本系列の
【数３１２】
2020533907.tif 000037
の値は、３、１、１、−１、３、１、−３、１、３、−３、−１、−１であり、または、
前記アップリンク信号基本系列の
【数３１３】
2020533907.tif 000038
の値は、１、１、３、３、−１、−３、１、３、−１、−１、−３、−３であり、または、
前記アップリンク信号基本系列の
【数３１４】
2020533907.tif 000039
の値は、−１、−１、−１、−１、１、−３、−１、３、３、−１、−３、１であり、または、
前記アップリンク信号基本系列の
【数３１５】
2020533907.tif 000040
の値は、３、１、３、−３、３、−３、−１、−３、３、−３、３、１である、請求項１に記載の方法。
【請求項１４】
メモリと、プロセッサと、トランシーバと、メモリに記憶されてプロセッサで実行可能なプログラムを含む端末において、
前記プロセッサは、前記プログラムを実行すると、請求項１〜１３のいずれか一項に記載のアップリンク信号系列生成方法のステップを実現する、端末。
【請求項１５】
メモリと、プロセッサと、トランシーバと、メモリに記憶されてプロセッサで実行可能なプログラムを含む基地局において、
前記プロセッサは、前記プログラムを実行すると、請求項１〜１３のいずれか一項に記載のアップリンク信号系列生成方法のステップを実現する、基地局。